(57)【要約】  熱遮蔽材アセンブリは、熱遮蔽材アセンブリが取り付けられることになっている部材を係合するための遮壁の側壁から延在する少なくとも１対のばねアームを有する熱遮蔽材料から製作される遮壁またはハウジングと、部材がばねアームに取り付けられるときに、部材に対するアセンブリの長手方向の移動を制限するために、所定の位置で長手方向のチャネルの中に突出する１つまたは複数の保持タブと、を含む。
2009522503.tif 000002
【特許請求の範囲】
【請求項１】
基部、１対の側壁、少なくとも１つの開放端部を有する長手方向のチャネルと、を含む熱遮蔽材料から製作された遮壁と、
熱遮蔽材アセンブリが部材を長手方向において前記少なくとも１つの開放端部に向かって、前記遮壁に対して摺動可能にする態様で、取り付けられることになっている部材を係合するために、前記側壁から延在する少なくとも１対のばねアームと、
所定の位置の前記長手方向のチャネルの中に突出し、部材が前記ばねアームに取り付けられるときに、部材に対する前記アセンブリの長手方向の移動を制限するための少なくとも１つの保持タブと、を備える熱遮蔽材アセンブリ。
【請求項２】
前記遮壁は、前記ばねアームを有する内部フレームを含み、前記少なくとも１つの保持タブが、前記フレームと一個部品として形成され、前記フレーム上に支持される熱遮蔽材料の外層を含む請求項１に記載の熱遮蔽材アセンブリ。
【請求項３】
前記チャネルは、前記開放端部の２つを有する請求項１に記載の熱遮蔽材アセンブリ。
【請求項４】
前記チャネルの前記開放端部に隣接して配置される少なくとも１対の前記保持タブを含む請求項３に記載の熱遮蔽材アセンブリ。
【請求項５】
前記遮壁基部は、前記保持タブと前記側壁との間に配置される部材を固定し、部材が前記ばねアームに取り付けられるときに、部材に対する前記アセンブリの長手方向の移動を制限するために、互いから横方向に離隔される前記保持タブの２つを含む請求項３に記載の熱遮蔽材アセンブリ。
【請求項６】
前記保持タブは、前記開放端部から横方向に離隔される請求項５に記載の熱遮蔽材アセンブリ。
【請求項７】
ばねアームおよび保持タブは、同一の材料から製作される請求項５に記載の熱遮蔽材アセンブリ。
【請求項８】
前記ばねアームは、前記遮壁の一部として一体に形成される請求項１に記載の熱遮蔽材アセンブリ。
【請求項９】
前記ばねアームはそれぞれ、前記チャネルの前記少なくとも１つの開放端部に隣接して内向きに輪郭を形成し、部材を係合するためのキャッチ部分を形成する請求項１に記載の熱遮蔽材アセンブリ。
【請求項１０】
前記１対のばねアームは、前記側壁のそれぞれの上縁から延在する請求項１に記載の熱遮蔽材アセンブリ。
【請求項１１】
前記少なくとも１つの保持タブは、前記基部から前記長手方向のチャネルの中に突出する請求項１に記載の熱遮蔽材アセンブリ。
【請求項１２】
前記熱遮蔽材料は、不織布ファイバの実質的に不導体の断熱層および少なくとも１つの層の反射金属を備える請求項１に記載の熱遮蔽材アセンブリ。
【請求項１３】
フレーム基部および前記フレーム基部の平行な側縁から上向きに延在する１対のフレーム側壁および少なくとも１つの開放端部を有する長手方向のチャネルを有するフレームと
前記フレームに固定される熱遮蔽材料の層と、
熱遮蔽材アセンブリが部材を長手方向において前記少なくとも１つの開放端部に向かって、前記遮壁に対して摺動可能にする態様で、取り付けられることになっている部材を係合するために、前記側壁から延在する少なくとも１対のばねアームと、
所定の位置の前記長手方向のチャネルの中に突出し、部材が前記ばねアームに取り付けられるときに、部材に対する前記アセンブリの長手方向の移動を制限するための少なくとも１つの保持タブと、を備える熱遮蔽材アセンブリ。
【請求項１４】
熱遮蔽材料の前記層を前記フレームに接合する締結具を含む請求項１３に記載の熱遮蔽材アセンブリ。
【請求項１５】
前記少なくとも１つの保持タブは、前記フレームの打ち抜き部分として形成され、前記チャネルの中に延在するように屈曲される請求項１４に記載の熱遮蔽材アセンブリ。
【請求項１６】
部材が前記ばねアームに取り付けられるときに、部材に対して前記アセンブリの長手方向の移動を制限するために、横方向に離隔される１対の前記保持タブをさらに備える請求項１５に記載の熱遮蔽材アセンブリ。
【請求項１７】
前記フレームは、熱遮蔽材料の前記層によって覆われる前記保持タブに隣接して打ち抜かれた開放領域を含む請求項１６に記載の熱遮蔽材アセンブリ。
【請求項１８】
前記少なくとも１つの保持タブは、前記フレームの前記基部において打ち抜きを含み、隣接するタブは、前記熱遮蔽材料によって覆われる請求項１２に記載の熱遮蔽材アセンブリ。
【請求項１９】
前記熱遮蔽材料を前記フレームに固定するために、前記フレーム基部にリベットをさらに備える請求項１２に記載の熱遮蔽材アセンブリ。
【請求項２０】
前記ばねアームは、前記フレームの一部として一体に形成される請求項１２に記載の熱遮蔽材アセンブリ。
【請求項２１】
前記ばねアームはそれぞれ、前記チャネルの前記少なくとも１つの開放端部に隣接して内向きに輪郭を形成し、前記部材を係合するためのキャッチ部分を形成する請求項１２に記載の熱遮蔽材アセンブリ。
【請求項２２】
横方向に離隔され、前記チャネルの中に突出し、前記少なくとも１つの開放端部から離隔されて、前記フレーム側壁の間に配置される部材に対する前記アセンブリの軸方向の移動を制限する２つの保持タブをさらに含む請求項１２に記載の熱遮蔽材アセンブリ。
【請求項２３】
前記熱遮蔽材料は、不織ファイバの実質的に不導体の絶縁層と、反射金属の少なくとも１つの層を備える請求項１３に記載の熱遮蔽材アセンブリ。
【請求項２４】
基部、１対の側壁、少なくとも１つの開放端部および１対のばねアームを有するチャネル形状の熱遮蔽材アセンブリを部材に取り付けるための方法であって、
部材を前記熱遮蔽材アセンブリの長手方向に対して横断方向において前記チャネルの中に延在させて、前記ばねアームを逆方向において不都合な除去に対して部材と係合すると同時に、部材は、前記少なくとも１つの開放端部に向かって前記ばねアームに対して摺動可能であるように、前記熱遮蔽材アセンブリを部材に取り付けることと、
所定の位置の前記長手方向のチャネルの中に突出し、部材に対する前記アセンブリの長手方向の移動を制限するための少なくとも１つの保持タブを設けることと、を含む方法。
【請求項２５】
所定の位置の前記チャネルにおいて２つの保持タブを設けることをさらに含み、前記ばねアームに対する部材の長手方向の移動を制限する請求項２７に記載の方法。
【発明の詳細な説明】
【技術分野】
【０００１】
発明の背景
本出願は、２００６年１月５日出願の米国仮出願第６０／７５６，５２１号明細書の利益を主張するものである。
１．発明の分野
本発明は一般に、熱遮蔽材に関し、さらに詳細には熱遮蔽材を遮蔽対象の部材に取り付けるためのシステムおよび方法に関する。
【背景技術】
【０００２】
２．関連技術の説明
高性能の現在の車両におけるエンジンは、きわめて高温で動作する。エンジンの一定の構成部材は、排気マニホルドおよび関連する排気配管システム、エンジンブロックなど相当の熱を発生する傾向がある。過剰な熱は、無防備なまま残っている場合には、いくつかの隣接する構成部材にとって有害である可能性がある。有害な熱に対する直接の露出からそのような隣接する構成部材を遮蔽する手段として、覆いの下において種々の熱遮蔽材を用いることが一般的である。効果的であるように、所望の位置に熱遮蔽材を取り付けるために種々の技術が採用されている。１つのそのような手法は、熱遮蔽材を遮蔽対象の部材に係合するために押し込むことができるばねクリップを採用する。
【発明の開示】
【発明が解決しようとする課題】
【０００３】
そのようなばねクリップは、それらの構成に応じて、据え付けの逆方向における除去に対して熱遮蔽材を固定するように一方向性であってもよいと同時に、取り付けられる部材に対して他の方向における熱遮蔽材の移動を可能にするような制限を有する。
【課題を解決するための手段】
【０００４】
発明の概要
本発明の一態様によって構成される熱遮蔽材アセンブリは、熱遮蔽材料の遮壁またはハウジングと、熱遮蔽材アセンブリが取り付けられることになっている部材と係合するために、遮壁の側壁から延在する少なくとも１対のばねアームと、部材がばねアームに取り付けられるときに、部材に示されているように、部材に対するアセンブリの長手方向の移動を制限するために、所定の位置の長手方向のチャネルの中に突出する１つまたは複数の保持タブと、を備える。ばねアームは、長手方向のチャネルの開放端部に向かって長手方向において部材を遮壁に対して摺動することを可能にするような態様で、部材に取り付けられる。保持タブは、部材がばねアームとの係合から摺動したり、および／または遮壁の開放端部から抜け出たりしないようにするために、摺動されるときに、部材と係合するように配置される。
【０００５】
本発明のさらなる態様によれば、アセンブリはまた、外部熱遮蔽層を支持する内部フレームを含んでもよく、保持タブおよびばねアームは、フレーム構造の一部として形成されてもよい。
【０００６】
本発明はさらに、熱遮蔽材アセンブリを遮蔽対象の部材に装着するための方法であって、熱遮蔽材料のチャネル形状の遮壁を有し、１対のばねアームがその側壁に設けられ、チャネルの中に突出する少なくとも１つの保持タブを有する熱遮蔽材アセンブリを作成することと、次に、熱遮蔽材の長手方向に対して横断方向において長手方向のチャネルの中に部材を延在させることによって、部材とばねアームを係合し、それによって、据え付けの
逆方向における不慮の除去に対して遮壁を固定するように熱遮蔽材アセンブリを部材に取り付けると同時に、チャネルの少なくとも１つの開放端部に向かって、ばねアームに対して部材を摺動することを可能にし、ばねアームに対する部材の長手方向の移動を制限するために、部材の経路において少なくとも１つの保持タブを位置決めすることによって、ばねアームに対する部材の長手方向の移動を制限することと、を含む方法も検討する。したがって、保持タブは、チャネル内部で部材の自在な摺動移動に対して障壁を提供し、部材がばねアームとの係合および／またはチャネルの開放端部から抜け出たりしないようにする。
【０００７】
本発明の利点は、以下の詳細な説明および添付図面に関連して考慮すれば、さらに容易に認識されることになるであろう。
【発明を実施するための最良の形態】
【０００８】
例示の実施形態の詳細な説明
図１および図２を参照すると、本発明の現在好ましい実施形態による熱遮蔽材アセンブリ１０は、熱遮蔽材本体または遮壁１２、遮壁１２に保持され、熱遮蔽材アセンブリ１０によって保護されることになっている部材１６に熱遮蔽材アセンブリを着脱可能に固定する取り付けデバイス１４と、取り付けデバイス１４に関して離隔された状態で本体に保持され、取り付けデバイス１４と協働して部材１６の上に熱遮蔽材アセンブリ１０を位置決めして保持するために、部材１６を位置付けて選択的に係合するように動作する補助保持部材１８と、を含む。
【０００９】
遮壁１２は、基部２０および少なくとも２つの側部２２、２４を含んでもよい。側部２２、２４は、空間２６を画定するために互いに関して離隔された状態で基部２０から延在する。部材１６を熱遮蔽材アセンブリ１０の外部の熱に対する露出から部材１６を遮蔽するために、この空間２６の中に部材１６を配置することができる。したがって、熱遮蔽材アセンブリ１０は、そうでなければ部材１６に悪影響を及ぼすように作用する可能性がある１つまたは複数の熱源に対する露出から部材１６を覆って保護するように動作する。たとえば、熱遮蔽材アセンブリ１０は、放射熱を反射するか、および／または部材１６への伝導熱の伝達を遮断するように機能することができる。
【００１０】
示された実施形態における遮壁１２は、略チャネル形状であり、基部２０は、チャネルの基部壁を形成し、２つの側部２２、２４は、チャネルの側壁を形成する。遮壁１２の対向する長手方向の端部２８、３０は、空間２６に対して開放されていてもよく、その結果、熱遮蔽材アセンブリ１０の長手方向の端部から見たとき、遮壁１２が略Ｕ字形である。
【００１１】
遮壁１２は、部材１６を熱から遮断するために効果的であるような複数の熱遮蔽材料のいずれから構成されてもよく、剛性または可撓性であってもよい。１つの適切な構造は、アルミニウムなどの反射性金属フォイルから外層３４と内層３６との間に挟まれる不織布ポリエステルまたはガラスファイバマットの実質的に不導体の断熱層３２を有する多層熱遮蔽材料３１を含む。この多層熱遮蔽材料３１はさらに、比較的剛性の内部支持フレーム３８を含み、それを中心して、多層熱遮蔽材料３１は遮壁１２に自己支持形状を与えるためにドレープを形成してもよい。示された実施形態において、フレーム３８は、略Ｕ字形のチャネル構成を有し、多層熱遮蔽材料３１は、遮壁１２の基部２０におけるリベット４０などの任意の適切な手段によってフレーム３８に永久に固定されてもよい。材料３１はまた、適切な接着剤または他の機械的な締結手段によって、フレーム３８に固定されることも可能である。
【００１２】
図２および図３を参照すると、フレーム３８は、示された実施形態において、遮壁１２に所望の形状を与えるように動作する。フレーム３８はまた、取り付けデバイス特徴部１
４のほか、保持部材１８も含んでもよい。取り付けデバイス特徴部は、アセンブリ１０を部材１６と組み立てられて係合状態にさせることに応じて、熱遮蔽材アセンブリ１０を部材１６に固定するように動作するスナップロックコネクタを備えてもよい。スナップロックコネクタは、遮壁１２の側部２２、２４に保持される１対の対向する弾性ばねアーム４２、４４を含む。ばねアーム４２、４４は、好ましくは、フレーム３８の一部として形成され、フレーム３８の側部壁部分４６、４８をばねアーム４２、４４の形状に整形して、屈曲することによって形成されることが最良である場合がある。この目的のために、フレーム３８は、ばね鋼などの適切に弾性を呈する材料から部分的または全体的に構成されてもよい。適切なプラスチック材料もまた、本発明によって検討される。図示されているように、ばねアーム４２、４４は、フレーム３８の基部５０から側壁１２の横方向の対向する側にある自由端部５２に向かって同一方向に延在する。アーム４２、４４は、互いに離隔され、それらの自由端部５２に隣接して材料を屈曲することによってなど内向きに輪郭を形成してアーム４２、４４の狭いキャッチ部分５４を形成してもよい。これらのキャッチ部分５４は、たとえば、電子センサを備えうる部材１６の本体を係合する。アーム４２、４４はさらに、遮壁１２の長手方向において、遮壁１２の開放端部２８、３０に向かって幅方向に延在してもよい。
【００１３】
フレーム３８の基部５０は、保持部材１８を把持してもよい。保持部材１８は、基部５０からばねアーム４２、４４の自由端部５２の一般的な方向において空間２６の内向きに突出してもよい。保持部材は、遮壁１２の長手方向において互いから離隔される２つ以上のタブ部分５６を備えてもよい。タブ部分５６の間隔は、部材１６が遮壁１６の空間２６に位置決めされるときに、部材１６の一部を収容するほど十分であり、それによって、遮壁１２に対して部材１６を明確に位置付ける。タブ部分５６は、遮壁１２の開放端部から長手方向に離隔され、空間２６内の部材１６の長手方向の移動をタブ部分５６間によって画定される領域内に制限するように設けられる。タブ部分５６は、基部５０にＵ字形のスロットを切断し、次に、結果として得られたタブ部分５６を基部５０の平面から屈曲することによって、フレーム３８と一体に形成されてもよく、その結果、タブ部分５６は、互いに関して略平行に空間２６の中に突出する。
【００１４】
部材１６の上方に熱遮蔽材アセンブリ１０を位置決めし、アーム４２、４４を広げて、外向きに偏向させるときに、ばねアーム４２、４４のキャッチ部分５４を通過するように押すようにさせる力によってアセンブリを案内することによって、動作中、センサなどの部材１６は、熱に対する露出から保護される。部材１６は、据え付け方向における除去に対して、部材１６を捕捉するように内向きに戻るキャッチ部分５４を過ぎた所定の位置に案内される。部材１６はさらに、保持タブ５６の間で捕捉される。このように、ばねアームは、据え付け方向において、部材の上に着脱可能に熱遮蔽材アセンブリ１０を固定すると同時に、保持タブ５６が、チャネルから遮壁１２の開放端部２８、３０を通じて移動するように、部材１６を収容する。当然のことながら、保持タブ５６はまた、その端部が開放されていなかった（たとえば、３つまたは４つの側片を有する遮壁などのさらなる側面の遮壁によって覆われている可能性がある端部）遮壁と連動して用いられることも可能である。にもかかわらず、そのような場合には、タブ部分は、遮壁１２の長手方向における部材１６の移動を制限すると同時に、ばねアーム４２、４４との係合状態となるように部材１６を位置決めし続けるように動作する。
【００１５】
本発明の多くの修正および変形が、上記の教示に照らして可能である。したがって、添付の請求項の範囲内に、本発明は、具体的に記載したもの以外に他の方法でも実行されうることは理解すべきである。
【図面の簡単な説明】
【００１６】
【図１】本発明の具体的な実施形態による部材に取り付けられる熱遮蔽材アセンブリの長手方向端部から見た正面図である。
【図２】本発明の具体的な実施形態による熱遮蔽材アセンブリの平面図である。
【図３】本発明の具体的な実施形態による熱遮蔽材アセンブリの内側の平面図である。
【図４】本発明の具体的な実施形態による熱遮蔽材アセンブリの概略図である。
【図１】
2009522503.tif 000003
【図２】
2009522503.tif 000004
【図３】
2009522503.tif 000005
【図４】
2009522503.tif 000006
【国際調査報告】
2009522503.tif 000007